(57)【要約】【課題】  放出する内容物を目的部位にうまく当てることができるようにする。【解決手段】  貯留室１８に内容物を収納し、一端側に滴下口１５を有するとともに、その滴下口に通ずるシリンダ室１３を内部に形成する筒状の容器１０と、その容器内に移動自在に設けて、先端をシリンダ室１３に挿入するピストン２０と、容器１０の他端側に設けて押し込んだときピストン２０を移動してシリンダ室１３の内容物を滴下口１５から外部に滴下する押し釦４０と、その押し釦から手を離したとき、その押し釦およびピストン２０を復帰しながら、貯留室１８の内容物をシリンダ室１３に入れる付勢部材４４とを有する。【選択図】      図１
2005066187.tif 000002
【特許請求の範囲】
【請求項１】
貯留室に内容物を収納し、一端側に滴下口を有するとともに、その滴下口に通ずるシリンダ室を内部に形成する筒状の容器と、
その容器内に移動自在に設けて、先端を前記シリンダ室に挿入するピストンと、
前記容器の他端側に設けて押し込んだとき前記ピストンを移動して前記シリンダ室の内容物を前記滴下口から外部に滴下する押し釦と、
その押し釦から手を離したとき、その押し釦および前記ピストンを復帰しながら、前記貯留室の内容物を前記シリンダ室に入れる付勢部材と、
を有することを特徴とする、滴下装置。
【請求項２】
前記ピストンに弾性弁を設け、その弾性弁を前記シリンダ室の周面に押し当て、前記押し釦を押し込んだとき、前記ピストンを移動して前記シリンダ室の内容物を前記滴下口から滴下する一方、前記押し釦から手を離して前記ピストンを復帰するとき、前記弾性弁を変形して前記貯留室の内容物を前記シリンダ室に入れることを特徴とする、請求項１に記載の滴下装置。
【請求項３】
前記ピストン上に開閉弁をスライド自在に設け、その開閉弁を前記容器の内周面に押し当て、前記押し釦を押し込んだとき、前記ピストンを移動して前記開閉弁との間を塞いで前記貯留室と前記シリンダ室との連通を遮断し、前記押し釦から手を離して前記ピストンを復帰するとき、前記開閉弁との間を開いて前記貯留室と前記シリンダ室とを連通することを特徴とする、請求項１に記載の滴下装置。
【請求項４】
前記ピストンの復帰工程において一時的に前記ピストンを前記容器の内周面に押し当てて所定長さ復帰することを特徴とする、請求項３に記載の滴下装置。
【請求項５】
前記開閉弁との間を開いて前記ピストンを復帰するとき、復帰最終工程で前記ピストンを前記容器の内周面に押し当てて前記貯留室と前記滴下口との連通を遮断することを特徴とする、請求項３に記載の滴下装置。
【請求項６】
前記シリンダ室と前記滴下口との間に、内容物の通過抵抗となる抵抗体を設けることを特徴とする、請求項１ないし５のいずれか１に記載の滴下装置。
【発明の詳細な説明】
【技術分野】
【０００１】
この発明は、容器を手で持って、容器内に収納する点眼薬や水虫治療薬などの内容物を、目や足などの目的部位に向けて少しずつ滴下する滴下装置に関する。
【背景技術】
【０００２】
【特許文献１】特開２００２-３５５２８９号公報
【特許文献２】特開２００２-３５５２９２号公報  従来、容器を手で持って容器内の内容物を外部に放出する装置としては、例えば特許文献１や特許文献２に記載されるような洗眼容器があった。
【０００３】
このような装置は、いずれも放出口を目に向けて手で容器を押し潰し、容器内の内容物を放出口から外部へと放出して目に当てていた。
【発明の開示】
【発明が解決しようとする課題】
【０００４】
しかしながら、この種の装置では、手で容器を押し潰したとき、容器が変形して放出口の位置が動き、放出方向がずれて内容物をうまく目的部位に当てることが難しい問題があった。
【０００５】
そこで、この発明の第１の目的は、この種の装置において、放出する内容物を目的部位にうまく当てることができるようにすることにある。
【０００６】
この発明の第２の目的は、簡単な構成でこの第１の目的を達成することにある。
【０００７】
この発明の第３の目的は、リサイクル性を向上するとともに上記第１の目的を達成することにある。
【０００８】
この発明の第４の目的は、放出口からの液漏れを防止するとともに上記第１の目的を達成することにある。
【課題を解決するための手段】
【０００９】
請求項１に記載の発明は、上述した第１の目的を達成すべく、滴下装置にあって、貯留室に内容物を収納し、一端側に滴下口を有するとともに、その滴下口に通ずるシリンダ室を内部に形成する筒状の容器と、その容器内に移動自在に設けて、先端をシリンダ室に挿入するピストンと、容器の他端側に設けて押し込んだときピストンを移動してシリンダ室の内容物を滴下口から外部に滴下する押し釦と、その押し釦から手を離したとき、その押し釦およびピストンを復帰しながら、貯留室の内容物をシリンダ室に入れる付勢部材とを有する、ことを特徴とする。
【００１０】
そして、使用時は、容器を手で持って容器の一端側に有する滴下口を目的部位に向け、付勢部材の付勢力に抗して容器の他端側に設ける押し釦を押し込んでピストンを移動し、ピストンの先端をシリンダ室内に挿入し、そのシリンダ室の内容物を滴下口から外部に放出して、目や足等の目的部位に向けて滴下する。押し釦から手を離したときには、付勢部材の付勢力により押し釦およびピストンを復帰し、このとき容器の貯留室に収納する内容物をシリンダ室に入れる。
【００１１】
請求項２に記載の発明は、上述した第２の目的を達成すべく、請求項１に記載の滴下装置において、ピストンに弾性弁を設け、その弾性弁をシリンダ室の周面に押し当て、押し釦を押し込んだとき、ピストンを移動してシリンダ室の内容物を滴下口から滴下する一方、押し釦から手を離してピストンを復帰するとき、弾性弁を変形して貯留室の内容物をシリンダ室に入れる、ことを特徴とする。
【００１２】
請求項３に記載の発明は、上述した第３の目的を達成すべく、請求項１に記載の滴下装置において、ピストン上に開閉弁をスライド自在に設け、その開閉弁を容器の内周面に押し当て、押し釦を押し込んだとき、ピストンを移動して開閉弁との間を塞いで貯留室とシリンダ室との連通を遮断し、押し釦から手を離してピストンを復帰するとき、開閉弁との間を開いて貯留室とシリンダ室とを連通する、ことを特徴とする。
【００１３】
請求項４に記載の発明は、上述した第４の目的を達成すべく、請求項３に記載の滴下装置において、ピストンの復帰工程において一時的にピストンを容器の内周面に押し当てて所定長さ復帰する、ことを特徴とする。
【００１４】
請求項５に記載の発明は、上述した第４の目的を達成すべく、請求項３に記載の滴下装置において、開閉弁との間を開いてピストンを復帰するとき、復帰最終工程でピストンを容器の内周面に押し当てて貯留室と滴下口との連通を遮断する、ことを特徴とする。
【００１５】
請求項６に記載の発明は、上述した第４の目的を達成すべく、請求項１ないし５のいずれか１に記載の滴下装置において、シリンダ室と滴下口との間に、内容物の通過抵抗となる、多孔質部材等の抵抗体を設ける、ことを特徴とする。
【発明の効果】
【００１６】
請求項１に記載の発明によれば、使用時は、容器はそのままの状態で保持して容器の他端側に設ける押し釦を押し込んで一端側に設ける滴下口から内容物を放出するから、滴下口の位置が動かず、放出する内容物を目的部位にうまく当てることができ、使い勝手をよくすることができる。また、押し釦を押し込んでシリンダ室の内容物を滴下口から放出するから、押し釦の押し込み量を一定とすることにより、内容物をばらつきなく一定量ずつ放出することができる。
【００１７】
請求項２に記載の発明によれば、ピストンに弾性弁を設け、その弾性弁をシリンダ室の周面に押し当ててシリンダ室を密閉し、押し釦を押し込んだとき、ピストンを移動してシリンダ室の内容物を滴下口から滴下する一方、押し釦から手を離してピストンを復帰するとき、弾性弁を変形して貯留室とシリンダ室とを連通し、貯留室の内容物をシリンダ室に入れるから、簡単な構成で上記請求項１に記載の発明と同様の効果を達成することができる。
【００１８】
また、押し釦から手を離したとき、貯留室とシリンダ室との連通を遮断した状態で弾性弁を少し戻すから、使用後に滴下口近くに残留する内容物を容器内に吸い込み、その後の保管時に、漏れた内容物で滴下口付近を汚したり、保管場所まわりを汚したりするおそれをなくすことができる。滴下口で内容物が固化して、次の使用時に内容物の放出方向が曲げられ、内容物が予期せぬ方向に放出されたりするおそれをなくすことができる。
【００１９】
請求項３に記載の発明によれば、ピストン上に開閉弁をスライド自在に設け、その開閉弁を容器の内周面に押し当て、押し釦を押し込んだとき、ピストンを移動して開閉弁との間を塞いで貯留室とシリンダ室との連通を遮断し、押し釦から手を離してピストンを復帰するとき、開閉弁との間を開いて貯留室とシリンダ室とを連通するから、他の部材と同様に開閉弁も樹脂材料でつくることを可能とし、リサイクル性を向上するとともに、上記請求項１に記載の発明と同様の効果を達成することができる。
【００２０】
請求項４に記載の発明によれば、ピストンの復帰工程において一時的にピストンを容器の内周面に押し当てて所定長さ復帰するから、その所定長さ復帰する間に滴下口近くに残留する内容物を容器内に吸い込み、その後の保管時に、漏れた内容物で滴下口付近を汚したり、保管場所まわりを汚したりするおそれをなくすことができる。また、滴下口で内容物が固化して、次の使用時に内容物の放出方向が曲げられ、内容物が予期せぬ方向に滴下されたりするおそれをなくすことができる。
【００２１】
請求項５に記載の発明によれば、開閉弁との間を開いてピストンを復帰するとき、復帰最終工程でピストンを容器の内周面に押し当てて貯留室と滴下口との連通を遮断するから、保管時に容器内の内容物が滴下口から漏れ出るおそれをなくすことができる。
【００２２】
請求項６に記載の発明によれば、シリンダ室と滴下口との間に、内容物の通過抵抗となる、多孔質部材等の抵抗体を設けるから、同じく保管時に容器内の内容物が滴下口から漏れ出るおそれをなくすことができる。
【発明を実施するための最良の形態】
【００２３】
以下、図面を参照しつつ、この発明を実施するための最良の形態につき説明する。
図１には、弾性弁を用いた、この発明に係る滴下装置の縦断面を示す。
【００２４】
図中符号１０は、容器である。容器１０は、角筒状や楕円筒状などでもよいが、図示例では円筒状とする。そして、一端側である下端部を順次小径とし、小径筒部１１、先細の噴出筒部１２を順に形成する。小径筒部１１内にはシリンダ室１３を、噴出筒部１２内にはシリンダ室１３より小径な抵抗体収納部１４とそれよりさらに小径な滴下口１５とを続けて形成する。すなわち、容器１０の一端側には、滴下口１５を有するとともに、その滴下口１５に通ずるシリンダ室１３を内部に形成する。そして、シリンダ室１３と滴下口１５との間の抵抗体収納部１４内には、多孔質部材など、内容物の通過抵抗となる抵抗体１７を設ける。
【００２５】
容器１０の他端側は開放し、そこから容器１０内の中心位置に軸状のピストン２０を入れ、長さ方向に移動自在に設けて先端をシリンダ室１３内に挿入する。ピストン２０の下方先端には、下円周溝２１を形成してそこに基部をはめ込んでゴム弁等の下弾性弁２２を設ける。下弾性弁２２は、スカート状で形成し、下方の先端周囲をシリンダ室１３の周面に押し当てる。これにより、シリンダ室１３を密閉区画する。
【００２６】
他方、ピストン２０には、上端寄りにも、上円周溝２３を形成してそこに基部をはめ込んで下弾性弁２２と同じ上弾性弁２４を設ける。上弾性弁２４は、同様に、スカート状に形成し、下方の先端周囲をキャップ３０の内筒部３１の内周面に押し当てる。そして、ピストン２０は、内筒部３１を貫通して容器１０内から上向きに突出し、上端に押し釦４０を取り付ける。押し釦４０は、キャップ状の本体部４１と、その中心から下向きに設けてピストン２０の上端を圧入する取付筒部４２とで構成する。
【００２７】
キャップ３０は、小径筒部１１とほぼ同じ内径の上述した内筒部３１と、外筒部３２と、それらの間に設ける底部３３とで構成する。外筒部３２は、途中に段部３４を設け、その段部３４より下は容器１０の内径とほぼ同じ外径とし、段部３４より上は容器１０の外径とほぼ同じ外径とする。そして、段部３４の位置まで容器１０内にはめ込んで固着し、開放する容器１０の他端側を塞いで容器１０内に貯留室１８を形成する。
【００２８】
貯留室１８内には、キャップ３０の取り付け前に、点眼薬や水虫薬などの内容物を収納する。内筒部３１のまわりには、付勢部材４４を設ける。付勢部材４４は、キャップ３０の底部３３上に乗せ、上部を取付筒部４２のまわりで押し釦４０の本体部４１に押し当てる。そして、押し釦４０を押し上げてピストン２０を上動し、上弾性弁２４を内筒部３１に突き当てて止める。図示例では、付勢部材４４としてコイルスプリングを用いるが、押し釦４０の成形時にそれと一体成形で弾性片を形成し、その弾性片を付勢部材として先端をキャップ３０に押し当てるように設けてもよい。
【００２９】
いま、この滴下装置を使用するときは、容器１０を手で持って滴下口１５を、目や足などの目的部位に向け、付勢部材４４の付勢力に抗して押し釦４０をキャップ３０の外筒部３２内に押し込み、ピストン２０を下動する。すると、ピストン２０の先端をシリンダ室１３に押し入れて下弾性弁２２を押し込み、下方の先端周囲をシリンダ室１３の周面に押し当てた状態で下方へと移動する。これにより、シリンダ室１３の内容物を、抵抗体１７を通して滴下口１５から外部に放出し、図２（Ａ）中実線ａで示すように目的部位に向けて滴下する。
【００３０】
そして、取付筒部４２の下端をキャップ３０の内筒部３１に突き当てて止める。このとき、上弾性弁２４も下方の先端周囲をキャップ３０の内筒部３１の内周面に押し当てた状態で図２（Ｂ）に示す位置まで下方へと移動する。
【００３１】
このように、使用時は、容器１０はそのままの状態で保持して容器１０の他端側に設ける押し釦４０を押し込んで一端側に設ける滴下口１５から内容物を放出するから、滴下口１５の位置が動かず、放出する内容物を目的部位にうまく当てることができ、使い勝手をよくすることができる。また、押し釦４０を押し込んでシリンダ室１３の内容物を滴下口１５から放出するから、押し釦４０の押し込み量を一定とすることにより、内容物をばらつきなく一定量ずつ放出することができる。
【００３２】
他方、押し釦４０から手を離すと、付勢部材４４の付勢力により押し釦４０を押し上げて押し釦４０およびピストン２０を復帰する。すると、下弾性弁２２は上動して少し戻したところでシリンダ室１３は減圧状態となるので、このとき下弾性弁２２の下方の先端周囲は、内向きに撓んで変形し、図３（Ａ）に示すようにシリンダ室１３の周面から離れ、容器１０の貯留室１８に収納する内容物をシリンダ室１３に入れる。
【００３３】
このように、押し釦４０から手を離したとき、はじめは貯留室１８とシリンダ室１３との連通を遮断した状態で下弾性弁２２を少し戻すから、図２（Ａ）において鎖線ｂで示すように使用後に滴下口１５近くに残留する内容物を容器１０内に吸い込み、その後の保管時に、漏れた内容物で滴下口１５付近を汚したり、保管場所まわりを汚したりするおそれをなくすことができる。また、滴下口１５で内容物が固化して、次の使用時に内容物の放出方向が曲げられ、内容物が予期せぬ方向に放出されたりするおそれをなくすことができる。
【００３４】
また、シリンダ室１３と滴下口１５との間に、内容物の通過抵抗となる、多孔質部材等の抵抗体１７を設けるから、同じく保管時に容器１０内の内容物が滴下口１５から漏れ出るおそれをなくすことができる。
【００３５】
また、貯留室１８も減圧状態となるから、上弾性弁２４の下方の先端周囲も、内向きに撓んで変形し、図３（Ｂ）に示すようにキャップ３０の内筒部３１の内周面から離れ、外気を貯留室１８に取り込む。そして、図１に示すように、上弾性弁２４を内筒部３１に突き当ててピストン２０の上動を止める。
【００３６】
図４には、樹脂製弁を用いた、この発明に係る滴下装置の縦断面を示す。
【００３７】
この図４に示す例では、図１に示す滴下装置の容器１０における小径筒部１１の内周面、すなわちシリンダ室１３の周面に一定幅ｃの環状突部１９を形成するとともに、ピストン２０と下弾性弁２２と上弾性弁２４を変更したものであり、その他は図１の滴下装置で用いたものと同じであり、同一の符号を付す。
【００３８】
図４に示す例では、容器１０内の中心に設けるピストン２０を、主体２６と副体２７とでつくる。副体２７は、主体２６の軸径よりも細い軸径の軸部２７ａと、その軸部２７ａの下方外周にスカート状に設ける弁部２７ｂとを一体成形でつくる。弁部２７ｂの先端周囲は、外径が、小径筒部１１の内径より小さく、環状突部１９の内径よりも大きくなっており、シリンダ室１３の周面との間には隙間を形成するが、環状突部１９の内周面には押し当たって密閉するようになっている。そして、弁部２７ｂ上の上向き段部には、径方向の通路２７ｃを複数形成する。
【００３９】
そのような副体２７は、軸部２７ａ上にスライド自在に樹脂製の下開閉弁２８を設ける。下開閉弁２８は、筒部２８ａの外周にスカート状に弁部２８ｂを一体成形で形成する。弁部２８ｂの先端周囲は、外径が、小径筒部１１の内径よりも大きくなっており、小径筒部１１の内周面に押し当てている。そして、副体２７は、軸部２７ａを主体２６の先端中心に圧入して主体２６に直列に連結する。
【００４０】
他方、ピストン２０の主体２６は、上端寄りに幅広の上円周溝２３を形成してそこに基部をはめ込んで上開閉弁２９を設ける。上開閉弁２９は、下方の先端周囲をキャップ３０の内筒部３１の内周面に押し当てる。そして、主体２６は、内筒部３１を貫通して容器１０内から上向きに突出し、上端に押し釦４０を取り付ける。
【００４１】
このような図４に示す滴下装置にあって、不使用状態では、弁部２７ｂは、先端周囲を環状突部１９の内周面に押し当てて密閉し、下開閉弁２８は、弁部２７ｂの段部上に乗って、軸部２７ａとの隙間および通路２７ｃを通して貯留室１８とシリンダ室１３間を連通し、また上開閉弁２９は、先端周囲を内筒部３１の内周面に押し当てて密閉する。
【００４２】
そして、使用時に、押し釦４０を押し込んだときには、はじめは下開閉弁２８を残してピストン２０を下動し、図５に示すようにその主体２６の下端外周を下開閉弁２８の筒部２８ａに押し当てて下開閉弁２８との間を塞いで貯留室１８とシリンダ室１３間の連通を遮断しながら、ピストン２０とともに下開閉弁２８も押し下げ、やがて弁部２７ｂの先端周囲が環状突部１９位置を通過し、環状突部１９の内周面に対する押し当てを解除してシリンダ室１３の周面との間に隙間を形成する。これにより、ピストン２０の下動とともに、シリンダ室１３の内容物を滴下口１５から外部へと放出する。
【００４３】
他方、押し釦４０から手を離し、付勢部材４４の付勢力でピストン２０を復帰するときは、はじめは下開閉弁２８を残して上動するが、すぐに弁部２７ｂの段部上に乗ってその下開閉弁２８もともに移動する。このとき、図６に示すように、主体２６の下端外周と下開閉弁２８の筒部２８ａとの間を開いて貯留室１８とシリンダ室１３間を連通し、貯留室１８の内容物をシリンダ室１３に入れる。
【００４４】
このように図４に示す例では、ピストン２０上に下開閉弁２８をスライド自在に設け、その下開閉弁２８を容器１０の内周面に押し当て、押し釦４０を押し込んだとき、ピストン２０を移動して下開閉弁２８との間を塞いで貯留室１８とシリンダ室１３との連通を遮断し、押し釦４０から手を離してピストン２０を復帰するとき、下開閉弁２８との間を開いて貯留室１８とシリンダ室１３とを連通するから、他の部材と同様に下開閉弁２８も樹脂材料でつくることを可能とし、リサイクル性を向上することができる。
【００４５】
ところで、キャップ３０の内筒部３１の内周面には、図４に示すように、縦溝３６を形成する。そして、押し釦４０を押し込んだときには、上開閉弁２９の先端周囲がその縦溝３６位置にまで達し、貯留室１８に大気を導入可能とする。
【００４６】
そして、ピストン２０の復帰工程において最終段階で一時的に、弁部２７ｂの先端周囲を環状突部１９の内周面に押し当てて所定長さｄ復帰して図４に示す状態に戻す。このようにすると、所定長さ復帰する間に滴下口１５近くに残留する内容物を容器１０内に吸い込み、その後の保管時に、漏れた内容物で滴下口１５付近を汚したり、保管場所まわりを汚したりするおそれをなくすことができる。また、滴下口１５で内容物が固化して、次の使用時に内容物の放出方向が曲げられ、内容物が予期せぬ方向に滴下されたりするおそれをなくすことができる。
【００４７】
また、下開閉弁２８との間を開いてピストン２０を復帰するとき、復帰最終工程でピストン２０を容器１０の内周面に押し当てて貯留室１８と滴下口１５との間の連通を遮断したままとする。このようにすると、同じく、保管時に容器１０内の内容物が滴下口１５から漏れ出るおそれをなくすことができる。
【００４８】
さて、図４ないし図６に示す滴下装置では、以上のとおり、主体２６と副体２７とで構成したピストン２０を用い、その副体２７に１つの弁部２７ｂを設けてその弁部２７ｂに、滴下直後に滴下口１５まわりに残留する内容物を吸い込む機能と、保管中にシリンダ室１３の内容物が滴下口１５から漏れ出ることを阻止する機能を併せて持たせた。しかし、ピストン２０には、それらの機能をそれぞれ別個に持たせた弁部を個別に設けるようにしてもよい。
【００４９】
図７には、樹脂製弁を用いた、この発明に係る滴下装置の他例の縦断面を示す。
【００５０】
図７に示す例では、ピストン２０を主体２６と副体２７とで構成し、副体２７に、滴下直後に滴下口１５まわりに残留する内容物を吸い込むスカート状の大弁部２７ｄと、保管中にシリンダ室１３の内容物が滴下口１５から漏れ出ることを阻止するスカート状の小弁部２７ｅを設ける。また、容器１０の小径筒部１１の内周面には、大弁部２７ｄの先端周囲が押し当たる吸引突部１９ａと、小弁部２７ｅの先端周囲が押し当たるシール突部１９ｂとを形成する。
【００５１】
そして、不使用状態では、大弁部２７ｄの先端周囲は、小径筒部１１の内周面との間に隙間を形成し、小弁部２７ｅの先端周囲は、シール突部１９ｂに押し当たってシールし、保管中にシリンダ室１３の内容物が滴下口１５から漏れ出ることを阻止する。
【００５２】
使用時に、押し釦４０を押し込んだときには、はじめは下開閉弁２８を残してピストン２０を下動し、図８に示すようにその主体２６の下端外周を下開閉弁２８の筒部２８ａに押し当てて下開閉弁２８との間を塞いで貯留室１８とシリンダ室１３間の連通を遮断しながら、ピストン２０とともに下開閉弁２８も押し下げ、やがて小弁部２７ｅの先端周囲がシール突部１９ｂ位置を通過し、シール突部１９ｂの内周面に対する押し当てを解除してシリンダ室１３の周面との間に隙間を形成する。これにより、ピストン２０の下動とともに、シリンダ室１３の内容物を滴下口１５から外部へと放出する。
【００５３】
押し釦４０を完全に押し込んだときには、図９に示すように、大弁部２７ｄの先端周囲が吸引突部１９ａに押し当たってシールする。
【００５４】
その後、押し釦４０から手を離し、付勢部材４４の付勢力でピストン２０を復帰するときは、はじめは下開閉弁２８を残して上動するが、すぐに大弁部２７ｄの段部上に乗ってその下開閉弁２８もともに移動する。このとき、ピストン２０の復帰工程においてはじめに一時的に、大弁部２７ｄの先端周囲を吸引突部１９ａの内周面に押し当てて所定長さｅ復帰する。故に、所定長さｅ復帰する間に滴下口１５近くに残留する内容物を容器１０内に吸い込み、その後の保管時に、漏れた内容物で滴下口１５付近を汚したり、保管場所まわりを汚したりするおそれをなくすことができる。また、滴下口１５で内容物が固化して、次の使用時に内容物の放出方向が曲げられ、内容物が予期せぬ方向に滴下されたりするおそれをなくすことができる。
【００５５】
そして、図１０に示すように、やがて吸引突部１９ａの内周面に対する大弁部２７ｄの押し当てを解除し、主体２６の下端外周と下開閉弁２８の筒部２８ａとの間を開いて貯留室１８とシリンダ室１３間を連通し、貯留室１８の内容物をシリンダ室１３に入れる。その後、再び図７に示す状態に戻して大弁部２７ｄの先端周囲と小径筒部１１の内周面との間に隙間を形成し、小弁部２７ｅの先端周囲をシール突部１９ｂに押し当ててシールし、保管中にシリンダ室１３の内容物が滴下口１５から漏れ出ることを阻止する。
【図面の簡単な説明】
【００５６】
【図１】弾性弁を用いた、この発明に係る滴下装置の縦断面図である。
【図２】その滴下装置の押し釦を押し込んだ状態を示し、（Ａ）は下部、（Ｂ）は上部の拡大図である。
【図３】押し込み後に手を離した直後の状態を示し、（Ａ）は下部、（Ｂ）は上部の拡大図である。
【図４】樹脂製弁を用いた、この発明に係る滴下装置の縦断面図である。
【図５】その滴下装置の押し釦を押し込んだ状態における部分拡大図である。
【図６】押し込み後に手を離した直後の状態における部分拡大図である。
【図７】樹脂製弁を用いた、この発明に係る滴下装置の他例の縦断面図である。
【図８】その滴下装置の押し釦を押し込んだ状態における部分拡大図である。
【図９】その滴下装置の押し釦を完全に押し込んだ状態における縦断面図である。
【図１０】押し込み後に手を離した直後の状態における部分拡大図である。
【符号の説明】
【００５７】
１０    容器
１３    シリンダ室
１５    滴下口
１７    抵抗体
１８    貯留室
２０    ピストン
２２    下弾性弁
２８    下開閉弁
４０    押し釦
４４    付勢部材
【図１】
2005066187.tif 000003
【図２】
2005066187.tif 000004
【図３】
2005066187.tif 000005
【図４】
2005066187.tif 000006
【図５】
2005066187.tif 000007
【図６】
2005066187.tif 000008
【図７】
2005066187.tif 000009
【図８】
2005066187.tif 000010
【図９】
2005066187.tif 000011
【図１０】
2005066187.tif 000012